(57)【要約】バッグインボックス容器は、バッグインボックスを持ち上げ、バッグインボックスのタップディスペンサを好都合に効果的に用い、投入カップを収容し、又はバッグインボックスを好都合に使用するための、バッグインボックス容器を好都合に使用するための１つ以上の特徴を有する。
2022500323.tif 000002
【特許請求の範囲】
【請求項１】
バックインボックス容器（１０）であって、
バッグインボックス容器と係合したタップディスペンサー（２０）と、
前記バッグインボックス容器の分配側（２１０）である前面パネル（２００）と、前記前面パネルに対向する後面パネル（２２０）と、前記前面パネルを前記後面パネルに接続する対向する側面パネル（２３０）と、前記タップディスペンサの下の底面パネル（５０）と、前記底面パネルに対向する上面パネル（２４０）とを備え、
前記前面パネル、前記後面パネル、前記側面パネル、前記上面パネル、及び前記底面パネルが、内部空間（３６０）を画定し、
前記バックインボックス容器は、
前記内部空間内に収容された投入カップ（３０）であって、閉鎖端部（４０）及び開口端部（５２）、並びに前記閉鎖端部から前記開口端部へ延びる周囲壁（３４０）を備える、投入カップ（３０）と、
前記上面パネル内にあるか、又はそれに面する既定の取り除き可能部分（３９０）と、を備え、
前記既定の取り除き可能部分が取り除かれると、投入カップホルダー開口部（４００）が開かれ、前記投入カップホルダー開口部は、前記閉鎖端部が前記投入カップホルダー開口部を貫通して前記内部空間へ入ることができるようなサイズ及び寸法とされており、前記投入カップが前記投入カップホルダー開口部内に置かれるとき、前記開口端部が前記バックインボックス容器の外側にある、バッグインボックス容器（１０）。
【請求項２】
前記既定の取り除き可能部分（３９０）が前記上面パネル内にあり、
前記既定の取り除き可能部分は、前記既定の取り除き可能部分が取り除かれて前記投入カップホルダー開口部（４００）が開かれると、前記閉鎖端部が前記投入カップホルダー開口部を貫通して、前記内部空間へ入ることができるようなサイズ及び寸法とされており、
前記投入カップが前記投入カップホルダー開口部内に置かれるとき、前記開口端部が前記バックインボックス容器の外側にある、請求項１に記載のバッグインボックス容器。
【請求項３】
前記投入カップホルダー開口部が、１つの成人の手の横並びに広げた関係で並んだ人差し指、中指、薬指、及び小指を受け入れるサイズ及び寸法とされた開口軸（４１０）を備える、請求項２に記載のバッグインボックス容器。
【請求項４】
前記開口軸が前記前面パネルの近位から前記後面パネルの近位へ延在する、請求項３に記載のバッグインボックス容器。
【請求項５】
前記開口軸が前記側面パネルの間に延在する、請求項３に記載のバッグインボックス容器。
【請求項６】
前記投入カップホルダー開口部が、前記既定の取り除き可能部分の前記取り除きにより形成される、請求項２〜５のいずれか一項に記載のバッグインボックス容器。
【請求項７】
前記既定の取り除き可能部分が、前記カップホルダー開口部を覆っている、請求項２〜６のいずれか一項に記載のバッグインボックス容器。
【請求項８】
前記既定の取り除き可能部分が、ミシン目境界線（４２０）によって境界が定められている、請求項２〜７のいずれか一項に記載のバッグインボックス容器。
【請求項９】
前記バッグインボックス容器が動作可能位置にあるとき、前記タップディスペンサが前記底面パネルの上方にあり、前記上面パネルが前記底面パネルの上方にある、請求項２〜８のいずれか一項に記載のバッグインボックス容器。
【請求項１０】
前記タップディスペンサが、前記内部空間に収容された可撓性バッグ（３５０）と係合している、請求項２〜９のいずれか一項に記載のバッグインボックス容器。
【請求項１１】
前記バッグインボックス容器を効果的に用いる工程であって、
前記内部空間から前記投入カップを取り除くステップと、
前記上面パネルから前記既定の取り除き可能部分を取り除くステップと、
前記投入カップが前記投入カップホルダー開口部により保持されるように、前記投入カップの前記閉鎖端部を前記投入カップホルダー開口部に配置するステップと、を含む、請求項１〜１０のいずれか一項に記載の工程。
【請求項１２】
前記投入カップホルダー開口部が、１つの成人の手の横並びに広げた関係で並んだ人差し指、中指、薬指、及び小指を受け入れるサイズ及び寸法とされた開口軸（４１０）を備える、請求項１に記載のバッグインボックス容器。
【請求項１３】
前記開口軸が、前記前面パネルの近位から前記後面パネルの近位へ延在する、請求項１２に記載のバッグインボックス容器。
【請求項１４】
前記開口軸が前記側面パネルの間に延存する、請求項１２に記載のバッグインボックス容器。
【請求項１５】
前記既定の取り除き可能部分が、前記カップホルダー開口部を覆う、請求項１２〜１４のいずれか一項に記載のバッグインボックス容器。
【発明の詳細な説明】
【技術分野】
【０００１】
液体製品の分配。
【背景技術】
【０００２】
現在利用可能なものよりも使用がより好都合な液体分配用のバッグインボックス容器に対する対処されていない継続する必要性が存在している。現在、量販市場に存在するバッグインボックス容器は消費者が使用するのに不便なものになっている。
【０００３】
最初に消費者は、バッグインボックス容器に開口部を形成するために、ある単純に設計された引き剥がしタブ又は引き外しタブを取り除いて、バッグインボックス容器の内部からタップディスペンサを取り出すことができるようになっている。通常、バッグインボックス容器内のバッグは、容器内に詰め込まれており、タップディスペンサは、バッグの折り目の間の格納位置にあり、消費者が見つけてつかんで、容器の外へ広げるのが困難になっている。
【０００４】
次いで、消費者はバッグインボックス容器の内容物を分配することができるレセプタクルを見つける必要がある。多くの場合、このレセプタクル、例えばカップ又はワインガラスは、バッグインボックス容器がある場所から離れた場所にあるか、これらレセプタクルは収納キャビネット内にある。
【０００５】
消費者は次に、タップディスペンサから取り出すことができるようにバッグインボックス容器を置く場所を見つける必要がある。通常、タップディスペンサは、バッグインボックス容器の底部付近にあり、その中に収容された液体の大部分が分配され得るようになっている。液体がその中に分配されるレセプタクルはタップディスペンサの下に適合しないことから、バッグインボックス容器は単純に平らな面に配置することはできない。そのため、消費者は、カウンタートップ又は棚でバッグインボックス容器が張り出している場所でタップディスペンサの下にレセプタクルを配置するための空間があるように、張り出したカウンタートップ又は棚を見つける必要がある。
【０００６】
投入カップ内で計量される調理油、液体洗濯洗剤、液体布地柔軟剤、及び蒸留酒などの液体を分配するために使用されるバッグインボックス容器では、投入カップが間違って置かれることがあり、それによってバッグインボックス容器の次の使用時に即座にそれが利用できない。
【発明の概要】
【発明が解決しようとする課題】
【０００７】
これらの制限を念頭に置いて、すぐに液体を分配できる位置にタップディスペンサを好都合に配置し、タップディスペンサを上昇させ、タップディスペンサを含むバッグインボックス容器が単一の平坦面に置かれているときにレセプタクル又は投入カップが、容易にタップディスペンサの下に配置され得るようにするバッグインボックス容器に対する依然として対処されていない必要性が存在している。タップディスペンサが容易に設置され得るバッグインボックス容器に対する、継続的な対処されていない更なる必要性がある。分配カップを収容するための実用的な機能を備えたバッグインボックス容器に対する、継続的な対処されていない更なる必要性が存在する。
【課題を解決するための手段】
【０００８】
バッグインボックス容器は、バッグインボックス容器と係合されたタップディスペンサと、バッグインボックス容器の分配側である前面パネルと、前面パネルに対向する後面パネルと、前面パネルを後面パネルに対向する側面パネルと、タップディスペンサの下の底面パネルと、底面パネルに対向する上面パネルとを備え、前面パネル、後面パネル、側面パネル、上面パネル、及び底面パネルは、内部空間を画定し、バックインボックス容器は、内部空間内に収容された投入カップであって、閉鎖端部及び開口端部、並びに閉鎖端部から開口端部へ延びる周囲壁を備える、投入カップと、上面パネル内にあるか、又はそれに面する既定の取り除き可能部分と、を備え、既定の取り除き可能部分が取り除かれると、投入カップホルダー開口部が開かれ、投入カップホルダー開口部は、閉鎖端部が投入カップホルダー開口部を貫通して内部空間へ入ることができるようなサイズ及び寸法とされており、投入カップが投入カップホルダー開口部内に置かれるとき、開口端部がバックインボックス容器の外側にある。
【図面の簡単な説明】
【０００９】
【図１】バッグインボックス容器の斜視図である。
【図２】主に側面パネルを示すバッグインボックス容器の斜視図である。
【図３】主に後面パネルを示すバッグインボックス容器の斜視図である。
【図４】底部の斜視図である。
【図５】主に底部を示すバッグインボックス容器の斜視図である。
【図６】主に底部を示すバッグインボックス容器の斜視図である。第１の脚部フラップ及び第２の脚部フラップが底面パネルから離れて開かれている。第１の切れ目部及び第２の切れ目部も同様に見えるようになっている。
【図７】主に底部を示す斜視図である。
【図８】斜視図である。バッグインボックス容器が、平坦面上にある第１のヒンジ線及び第２のヒンジ線上に載置されている。
【図９】第１のフラップが見える底面図である。
【図１０】第２のフラップが見える底面図である。
【図１１】正面図である。
【図１２】斜視図である。
【図１３】前面パネルを主に示す斜視図である。取り外し可能な引き剥がしストリップは、部分的に前面パネルから取り除かれている。タップディスペンサ及び投入カップは、部分的に効果的に用いられている。
【図１４】主に前面パネルを示す斜視図である。タップディスペンサは、完全に効果的に用いられている。投入カップはその閉鎖端部に置かれている。
【図１５】部分的側面図である。
【図１６】部分的側面図の一部である。
【図１７】フランジとタップディスペンサ台座パネルとの間に押し込まれているカラーを示す部分側面図の一部である。
【図１８】カラーである。
【図１９】既定の取り外し可能部分が取り除かれていない上面図である。
【図２０】既定の取り外し可能部分が上面パネルに面している斜視図である。
【図２１】主にバッグインボックス容器１０の上部を示す上面図である。既定の取り外し可能部分が取り除かれている。
【図２２】開口軸を使用してバッグインボックス容器がどのように運搬され得るかを示している。
【図２３】カップホルダー開口部内に配置された投入カップを有する斜視図である。
【図２４】投入カップの側面図である。
【図２５】斜視図である。第１の脚部フラップは第１のヒンジ線を中心に曲げられ、第２の遠位フラップは第２のヒンジ線を中心に曲げられ、第１の遠位端は第１の切れ目部と係合されており、第２の遠位端は第２の切れ目部と係合されている。バッグインボックス容器は、側面パネル上に載っている。
【図２６】ブランクであり、このブランクからバッグインボックス容器が組み立てられ得る。
【発明を実施するための形態】
【００１０】
バッグインボックス容器１０が図１に示されている。バッグインボックス容器１０は、小荷物配送サービスを介した製造業者から消費者への配送に実用的となり得る。バッグインボックス容器１０は、バッグインボックス容器１０用に適合した樹脂製シートで好都合に収縮包装され得、樹脂製シートの外側に配送情報が配置され得る。バッグインボックス容器１０は、約０．５Ｌ〜約３０Ｌ、任意選択的に約０．５Ｌ〜約１０Ｌ、又は約１Ｌ〜約５Ｌの液体を収容することができる。
【００１１】
バッグインボックス容器１０は、バッグインボックス容器１０の内部にある可撓性バッグを含む内蔵型液体配送システムとなり得る。可撓性バッグは、液体を収容することができる。投入カップもまた、バッグインボックス容器１０の一部として提供され得る。投入カップは、バッグインボックス容器１０の内部にあってもよく、又はバッグインボックス容器１０の外部の凹部内に設置することができる。バッグインボックス容器１０は、バッグインボックス容器１０が好都合に使用される様々な特徴を有することができる。
【００１２】
バッグインボックス容器１０は直方体になり得る。前面パネル２００は、約５０ｍｍ〜約２５０ｍｍの幅Ｗを有することができる。前面パネル２００は、約１００ｍｍ〜約５００ｍｍの高さＨｔを有することができる。前面パネル２００は、液体が分配されるバッグインボックス容器１０の側であり、すなわち、消費者がバッグインボックス容器１０を使用するときの分配側である。バッグインボックス容器１０は約１００ｍｍ〜約３００ｍｍの深さＤを有することができ、この深さは前面パネル２００から離れて測定される。
【００１３】
前面パネル２００は取り外し可能な引き裂きストリップ２９０を含むことができ、それを取り外すことで消費者がバッグインボックス容器１０内のタップディスペンサにアクセスできるようになっている。引き裂きストリップ２９０は、ミシン目境界線４２０によって境界付けられ得る。ミシン目境界線４２０は、前面パネル２００を貫通するか、又は部分的に貫通する一連の穿孔によって提供され得る。取り外し可能な引き裂きストリップ２９０は、ミシン目境界線４２０を破断するために、バッグインボックス容器１０の内部に向かって内側に押され得る。任意選択的に、取り除き可能な引き裂きストリップ２９０を取り除くために、取り除き可能な引き裂きストリップ２９０はバッグインボックス容器１０から引き離され得る。消費者が取り除き可能な引き裂きストリップ２９０をつかみ、それをバッグインボックス容器１０から引き剥がすことができるように、フィンガーホール２９５は、取り除き可能な引き裂きストリップ内に、又はミシン目境界線４２０に隣接して設けられ得る。消費者が取り除き可能な引き裂きストリップ２９０を取り除くことを促すために、前面パネル２００は、タップディスペンサの芸術的レンダリングを有することができ、それは前面パネル２００の後ろに配置することができる。
【００１４】
バッグインボックス容器１０に収容される液体は、液体洗濯洗剤、液体布地柔軟剤、ワイン、オイル、液体食器洗剤、液体手洗い石鹸、液体調味料、及びこれらの組み合わせからなる群から選択され得る。
【００１５】
バッグインボックス容器１０は、バッグインボックス容器１０の分配側２１０である前面パネル２００、前面パネル２００に対向する後面パネル、前面パネル２００を後面パネルに接続する対向する側面パネル２３０、タップディスペンサの下の底面パネル、及び底面パネルに対向する上面パネル２４０を備えることができる。前面パネル２００は、前面パネル外向面２７０、及び対向する前面パネル内向面を有し得る。
【００１６】
上面パネル２４０は、既定の取り除き可能部分３９０を備え得る。既定の取り除き可能部分は、既定の取り除き可能部分３９０が取り除かれると、投入カップホルダ用開口部が形成され、消費者が投入カップを投入カップ用ホルダ内に収容できるようなサイズ及び寸法とすることができる。
【００１７】
図２は、図１のバッグインボックス容器の斜視図であり、図１で示された側面パネルに対向する側面パネル２３０が示されている。これらのパネルは、段ボール１８０の１つ以上の層から形成することができる。任意選択的に、パネルの一部は、段ボール１８０の１つの層から形成することができ、同じパネルの別の部分は、２層、３層、又はそれ以上の層の段ボール１８０から形成することができる。複数層の段ボール１８０は、単一層と比較して強度の増大をもたらすことができる。複数層は、角部付近又はハンドル付近のように強度の増大が望ましい位置に設けられ得る。
【００１８】
図３は、図１のバッグインボックス容器の斜視図であり、後面パネル２２０が示されている。対向する側面パネル２３０、前面パネル２００及び後面パネル２２０は共に、上面パネル２４０を底面パネル５０に接続することができる。対向する側面パネル２３０、上面パネル２４０、及び底面パネル５０は、前面パネル２００を後面パネル２２０に接続することができる。前面パネル２００、後面パネル２２０、上面パネル２４０及び底面パネル５０は、側面パネル２３０を接続することができる。
【００１９】
図４は、バッグインボックス容器１０の底部５５を示す斜視図である。底部５５は、複数の脚部へと直立させることができる構造体を含むことができ、その上にバッグインボックス容器１０が立つことができる。これらの脚部はバッグインボックス容器１０を持ち上げることができ、消費者がカップ又は投入カップのようなレセプタクルをタップディスペンサの下に好都合に適合させることができるようになっている。
【００２０】
これら脚部は、第１の脚部フラップ６０、及び第１の脚部フラップ６０と底面パネル５０との間にある第２の脚部フラップ１００から直立させることができる。底面パネルは、側面パネル２３０又は前面パネル２００又は後面パネル２２０のうちの１つから延在することができる。第１の脚部フラップ６０は側面パネル２３０のうちの１つから延在することができ、第２の脚部フラップ１００は、他方の側面パネル２３０から延在することができる。任意選択的に、第１の脚部フラップ６０又は第２の脚部フラップ１００のうちの１つは、前面パネル２００から延在することができ、他方は後面パネル２２０から延在することができる。
【００２１】
脚部として立てられると、第１の脚部フラップ６０及び第２の脚部フラップ１００は、バッグインボックス容器１０が上に載る、カウンタートップ、テーブル、又は棚のような載置場所の上方にバッグインボックス容器を持ち上げることができるように、第１の脚部フラップ６０及び第２の脚部フラップ１００は、持ち上げられてタップディスペンサの下方に配置することができる。
【００２２】
第１の脚部フラップ６０は、バッグインボックス容器１０に関連付けられた第１の近位端７０から第１の遠位端まで延在することができる。立てられる前に、第１の遠位端は、第２の近位端付近の第２の脚部フラップ１００に接続されている支持体８２、又は第１の遠位端部が向いたパネルのうちの１つに接続され得る。このように配置されることで、第１の脚部フラップ６０を形成する構造体は直立前の安定性を提供するために、下にある第２の脚部フラップ１００に直接接続される必要はない。直立前の安定性は、バッグインボックス容器１０と関連付けられている第１の近位端７０によって、かつ、第２の近位端付近の第２の脚部フラップ１００及び第１の遠位端が向いたパネルのうち１つに接続された支持体８２に接続されている第１の遠位端によってもたらされ得る。任意選択的に、第１の脚部フラップ６０は、例えば、剥離可能な接着剤を使用することによって、第２の脚部フラップ１００に取り外し可能に接続することができる。
【００２３】
第１の脚部フラップ６０は、第１の近位端７０と第１の遠位端８０との間に配置された第１のヒンジ線９０を有することができる。第１の遠位端８０は、ミシン目脆弱線８５によって第１の遠位端８０で支持体８２に接続され得る。
【００２４】
消費者は、図５に示されるように、第１の遠位端８０を下にある第２の脚部フラップ１００から離れる方向に移動させることによって第１の脚部フラップを立てさせ始めることができ、この図は、第１の脚部フラップ６０が開かれて、第１の遠位端８０が支持体８２から分離されるか、又はそうでない場合、自由に延在していることを示している。第１の遠位端８０は、第１の遠位端８０から延在する１つ以上の第１のタブ８１を備えることができる。第１のタブ８１は、第１の脚部フラップ６０又は第１の遠位端８０に接続された構造体の延長部となることができる。第１の脚部フラップ１００は、前面パネル２００から延在することができる。第１の近位端７０は、前面パネル２００と関連付けられるか、又はそこから延在することができる。
【００２５】
図５では、第２の脚部フラップ１００が露呈され、関連する部分において第１の脚部フラップ６０と同じ構造となることができる。第２の脚部フラップ１００は、バッグインボックス容器１０に関連付けられた第２の近位端１１０から第２の遠位端まで延在することができる。直立させる前に、第２の遠位端は底面パネル５０に接続され得る支持体８２に接続され得る。第２の脚部フラップ１００を形成する構造は、直立前の安定性をもたらすために、下にある底面パネル５０に直接接続される必要はない。直立前の安定性は、第２の近位端１１０がバッグインボックス容器１０と関連付けられており、第１の脚フラップ６０の第１の近位端７０の付近で底面パネル５０に接続される支持体８２に第２の遠位端が接続されていることによってもたらされ得る。任意選択的に、第２の脚部フラップ１００は、例えば、剥離可能な接着剤を使用することによって、底面パネル５０に取り外し可能に接続され得る。
【００２６】
第２の脚部フラップ１００は、第２の近位端１１０と第２の遠位端１２０との間に配置された第２のヒンジ線１３０を有することができる。第２の遠位端１２０は、ミシン目脆弱線８５によって第２の遠位端１２０で支持体８２に接続され得る。
【００２７】
第１のヒンジ線９０及び第２のヒンジ線１３０は、対応する脚部フラップ内の脆弱線であり得る。ヒンジ線は、折り目線１９０、断続的な折り目線、穿孔線、それぞれの脚部フラップを部分的に貫通するダイカット線、又は類似の構造、若しくは、それぞれの脚部フラップを全体的に、又は部分的に横切るこれらの構造の組み合わせであることができる。ヒンジ線を形成するための構造体は、内部空間３６０に向かって配向されたそれぞれの脚部フラップの表面上にあることができる。
【００２８】
製造及び直立の便宜上、支持体８２は脚部フラップの延長部であることができ、ダイカットは対応する脚部フラップとそれぞれの支持体８２との間にあることができる。支持体は、それによってバッグインボックス容器１０に直立時の安定性をもたらす構造体であることができる。例えば、脚部フラップを効果的に用いる前に、第２の脚部フラップ１００から延在する支持体８２は、底面パネル５０に接着され得る。第１の脚部フラップ６０から延在する支持体８２は、第２の脚部フラップ１００に接着され得る。これらが一緒になって、この配置がバッグインボックス容器１０の底部に構造的安定性をもたらすことができる。
【００２９】
消費者は、図６に示すように、第１の遠位端８０を下にある第２の脚部フラップ１００から離れる方向に移動させることによって、第２の脚部フラップ１００を直立させ始めることができ、この図は第２の脚部フラップ１００が開かれて第２の遠位端１２０が支持体８２から分離されていることを示している。第２の遠位端１２０は、第２の遠位端１２０から延在する１つ以上の第２のタブ１２１を備えることができる。第２のタブ１２１は第２の脚部フラップ１００の延長部であるか、又は第２の遠位端１２０に接続された構造体であることができる。第２の脚部フラップは、後面パネル２２０から延在することができる。第２の近位端１１０は、後面パネル２２０と関連付けられるか、又はそこから延在することができる。図６では、スリット１７２が第２の切れ目部１５０として示されている。任意選択的に、第１の切れ目部１４０及び／又は第２の切れ目部１５０のいずれか、一部、又は全ては、スリット１７２又はスロット１７０、若しくは脚部フラップの遠位端が係合し得る凹部などの他の構造体であり得る。
【００３０】
脚部フラップは、一方又は両方の遠位端に沿って凹状輪郭８５を備えることができる。凹状輪郭８５は、成人のヒトの親指と適合するようなサイズ及び寸法とすることができる。凹状輪郭８５は、バッグインボックス容器５が効果的に用いられる際に、ヒンジ線を中心にして脚部フラップを曲げるために消費者が容易に力を適用することを可能にすることができる。凹状輪郭８５はまた、脚部フラップを出荷状態から脚部フラップが脚部に形成される効果的に用いられる状態に移行させるために、消費者が脚部フラップを引っ張るための好都合な位置をもたらすことができる。
【００３１】
第１の脚部フラップ６０が開かれる前に、底面パネル５０は、第１のヒンジ線９０と第１の遠位端８０との間に配置された１つ以上の第１の切れ目部１４０を含むことができ、又は任意選択的に、存在する場合、１つ以上の第１のタブ８１は、第１の脚部フラップ６０が第１のヒンジ線９０を中心に折り畳まれると、第１の切れ目部１４０と動作可能に係合可能となり得る。第１の切れ目部１４０は、第２の脚部フラップ１００の第２の近位端１１０よりも第１の脚部フラップ６０の第１の近位端７０に近接して配置され得る。
【００３２】
第２の脚部フラップ１００が開かれる前に、底面パネル５０は、第２のヒンジ線１３０と第２の遠位端１２０との間に配置された１つ以上の第２の切れ目部１５０を含むことができ、又は任意選択的に、存在する場合、１つ以上の第２のタブ１２１は、第２の脚部フラップ１００が第２のヒンジ線１３０を中心に折り畳まれると、第２の切れ目部１５０と動作可能に係合可能となり得る。第２の切れ目部１５０は、第１の脚部フラップ６０の第１の近位端７０よりも第２の脚部フラップ１００の第２の近位端１１０に近接して配置され得る。
【００３３】
第１の切れ目部１４０及び第２の切れ目部１５０は、スロット１７０、スリット１７２、凹部、及びこれらの組み合わせからなる群から選択することができる。スリット１７２は、材料が除去されていない材料内にある切れ目部である。凹部は、材料内の窪みである。スロット１７０は、材料内の開口部である。切れ目部は、それぞれのフラップの遠位端、又はそのような遠位端から延在する１つ以上のタブを受け入れるようなサイズ及び寸法とすることができる。
【００３４】
第１のタブ８１は、第１の切れ目部１４０の中、又はそれと嵌合するようなサイズ及び寸法とすることができる。第２のタブ１２１は、第２の切れ目部１５０の中、又はそれと嵌合するようなサイズ及び寸法とすることができる。遠位端に２つ以上のタブがある場合、２つ以上の切れ目部があることができ、その中に又はそれとタブが嵌合することができる。
【００３５】
パネル及び脚部フラップは、段ボール１８０から構成され得る。段ボール１８０は、板紙１８４の２つの層の間に溝１８２を含むことができる。第１のヒンジ線９０及び第２のヒンジ線１３０は、溝１８２と整列することができる。フラップは、溝１８２がそのように配置されるとき、ヒンジ線を中心に容易に折り畳まれ得る。バッグインボックス容器１０用のブランクは、直立すると、溝１８２が所望の方向に配置されるようにレイアウトすることができる。段ボール１８０は、溝に直交する曲げ強度と比較して、溝１８２の整列方向において曲げ強度が大きくなっている。バッグインボックス容器１０内のバッグの荷重下で座屈しないように最終的に直立する脚部は、十分な曲げ強度を有する必要があることから、段ボール１８０は、該当する曲げ方向で十分な曲げ強度を有するように選択され得る。第１のヒンジ線９０及び第２のヒンジ線１３０は、溝１８２と直交し得る。脚部をヒンジ線を中心に曲げることを容易にするために、段ボール１８０は、例えば、より深い折れ線又はダイカット線などによって、ヒンジ線に沿ってより激しく構造的に破壊されることできる。
【００３６】
溝１８２が異なるパネル、フラップ、及び他の付属物の上で所望の方向で整列されるように、設計者はバッグインボックス容器１０が構築されるブランクをプランニングすることができる。更にバッグインボックス容器１０は、段ボール１８０の単一の切断片から構築することができる。すなわち、パネル及びフラップは、一体型の段ボール１８０から形成することができる。底面パネル５０、第１の脚部フラップ６０及び第２の脚部フラップ１００は、共通のパネル又は複数の連続する共通のパネルを介して、それらが互いに隣接しているという点で、互いに一体となり得る。このことはバッグインボックス容器１０を構築するために一緒に組み立てられた別個の部品とは対照的である。
【００３７】
図７に示されるように、第１の脚部６１及び第２の脚部１０１は、それぞれの脚部フラップを対応するヒンジ線を中心に曲げ、それぞれの遠位端又はそれぞれのタブを対応する切れ目部に挿入することによって組み立てることができる。組み立てられると、第１の脚部６１は、第１の近位端７０から第１のヒンジ線９０まで延在し、第１のヒンジ線９０、及び第１の遠位端８０、又は第１のタブ若しくはタブ８１は、１つの第１の切れ目部１４０又は複数の第１の切れ目部１４０に挿入される。同様に、組み立てられると、第２の脚部１０１は、第２の近位端１１０から第２のヒンジ線１３０まで延在し、第２のヒンジ線１３０、及び第２の遠位端１２０、又は第２のタブ若しくはタブ１２１は、１つの第２の切れ目部１５０又は複数の第２の切れ目部１５０に挿入される。
【００３８】
好都合にもバッグインボックス容器１０は、図８に示されるように、バッグインボックス容器１０が載置される表面の上にバッグインボックス容器１０を持ち上げるために、第１の脚部６１及び第２の脚部１０１上に立つことができる。第１の遠位端８０が第１の切れ目部１４０と係合され、第２の遠位端１２０が第２の切れ目部１５０と係合されると、載置面１６０は、第１のヒンジ線９０及び第２のヒンジ線１３０によって画定され、タップディスペンサ出口から投入カップ３０の最大高さＨよりも長い距離だけ離される。載置面１６０は、第１のヒンジ線９０及び第２のヒンジ線１３０の両方が置かれる平面である。載置面１６０は平面であり、２次元方向に大きく広がっている。バッグインボックス容器１０が液体を分配するために使用されるとき、載置面１６０は、脚部が立っている表面と一致することになる。載置面１６０は、タップディスペンサ出口の下にあるように外向きに延在し、載置面１６０とタップディスペンサ出口との間の距離は、設置面１６０に直交して測定される。
【００３９】
第１の遠位端８０が第１の切れ目部１４０と係合され、第２の遠位端１２０が第２の切れ目部１５０、と係合されると、底面パネル５０は、第１のヒンジ線９０及び第２のヒンジ線１３０から等距離だけ間隔が空けられ得る。このことは、底面パネル５０は、脚部が水平面上に置かれているときに水平であると記述することができる。ベースパネル５０が水平でない場合と比較して、このことは前後方向の倒れに対してより安定的状況をもたらすことができる。
【００４０】
第１の脚部フラップ６０は、第１の持ち上げ高さＨ１を有し得る。第１の持ち上げ高さＨ１は、第１の遠位端８０が第１の切れ目部１４０と係合されるときの第１のヒンジ線９０から底面パネル５０までの距離である。すなわち、第１の持ち上げ高さＨ１は、第１の脚部６１によってもたらされる持ち上げ距離である。同様に第２の脚部フラップ１００は、第２の持ち上げ高さＨ２を有することができる。第２の持ち上げ高さＨ２は、第２の遠位端１２０が第２の切れ目部１５０と係合されるときの第２のヒンジ線１３０から底面パネル５０までの距離である。第２の持ち上げ高さＨ２は、第２の脚部１０１によってもたらされる持ち上げ距離である。第１の持ち上げ高さＨ１は、第２の持ち上げ高さＨ２に等しくなり、効果的に用いられる状態でバッグインボックス容器１０内に安定をもたらすことができる。
【００４１】
フラップは、ヒンジ線を中心に折り畳まれて三角形の脚部を形成することができる。フラップの幾何形状、フラップ上のヒンジ線の位置、及び切れ目部の位置は、脚部が取る形状、及び底面パネルが載置面１６０の上方に持ち上げられる高さを定めることができる。第１のヒンジ線９０は、図９に示すように第１の近位端７０からのＬ１の距離になり得る。第１の遠位端８０は、第１のヒンジ線９０からＬ２の距離になり得る。第１の切れ目部１４０は、第１のフラップ６０が底面パネル５０に面するときに測定される、第１の遠位端８０からＬ３の距離になり得る。Ｌ３は、Ｌ１＋Ｌ２−（Ｌ１２−Ｈ１２）１／２−（Ｌ２２−Ｈ１２）１／２以上とすることができ、第１の切れ目部１４０は、第１の近位端７０から最も遠く離れた第１の切れ目部１４０の部分までで測定されるように、第１の近位端７０から距離Ｌ１＋Ｌ２−Ｌ３に位置することができる。
【００４２】
第２のヒンジ線１３０は、図１０に示すように第２の近位端１２０からＬ４の距離となり得る。第２の遠位端１２０は、第２のヒンジ線１３０からの距離Ｌ５となり得る。第２の切れ目部１５０は、第２のフラップ１００が底面パネル５０に面するときに測定されるような第２の遠位端１２０からの距離Ｌ６となり得る。Ｌ６は、Ｌ４＋Ｌ５−（Ｌ４２−Ｈ２２）１／２−（Ｌ５２−Ｈ２２）１／２以上とすることができ、第２の切れ目部１５０は、第２の近位端１１０から最も遠く離れた第２の切れ目部１５０の部分までで測定されるように、第２の近位端１２０から距離Ｌ４＋Ｌ５−Ｌ６に位置することができる。
【００４３】
所望の脚部構造を作製するために、Ｌ１２はＨ１２より長くてもよく、Ｌ４２はＨ２２より長くてもよい。この制約条件は、Ｈ１及びＨ２がそれぞれＬ１及びＬ４を超えないことを意味する。望ましくはＬ１及びＬ４は互いに等しくてもよい。また、望ましくはＬ２及びＬ５は互いに等しくてもよい。また、望ましくはＬ３及びＬ６は互いに等しくてもよい。１つ以上の同じ長さの対応長さにより、構築された脚部が同じ形状を有し、消費者による構築は単純化される。
【００４４】
バックインボックス容器１０の正面図が図１１に示されている。取り除き可能な引き裂きストリップ２９０が取り除かれ、台座パネル３００が露呈される。タップディスペンサ２０は、バッグインボックス容器１０と係合され得る。タップディスペンサ２０は出口を有することができ、そこを通じて流れが生じ得る。バッグインボックス容器１０の内部の非限定的な例として、バッグインボックス容器は、バッグインボックス容器１０と係合する投入カップ３０を備え得る。投入カップ３０は、閉鎖端部４０から開放端部５２まで延在することができ、閉鎖端部４０と開放端部５２との間に最大高さＨを有することができ、この最大高さＨは閉鎖端部４０に直交して測定される。投入カップは、閉鎖端部４０から開放端部５２まで延在する周囲壁３４０を有し得る。
【００４５】
Ｈ１及びＨ２は、互いに等しく、投入カップ３０の最大高さＨの約５０％を超えることができる。このような配置は、脚部が置かれている表面の上のバッグインボックス容器１０を十分に持ち上げることができる。載置面１６０に関して、載置面１６０は、タップディスペンサ出口から最大高さＨの約１１０％から最大高さＨの約２００％までの距離だけ、又は更には最大高さＨの約１１０％から最大高さＨの約１７０％までの範囲の距離だけ離され得る。バッグインボックス容器１０の上昇は、タップディスペンサ出口の観点から言及され得る。フラップが脚部へと構築されるとき、第１のヒンジ線９０及び第２のヒンジ線１３０は両方とも、タップディスペンサ及びタップディスペンサ出口の下に延在する載置面１６０にあることができ、タップディスペンサ出口は載置面１６０の上で最大高さＨの１００％超になっている。タップディスペンサ出口は、載置面１６０の上で最大高さＨの１００％超となり得る。載置面１６０は、最大高さＨの約１１０％超の距離だけタップディスペンサ出口２５から離れることができる。タップディスペンサ出口は、載置面１６０の上方で最大高さＨの約１１０％超にあることができ、又は任意選択的に任意選択的に約１１０％〜約２００％、約１１０％〜約１７０％にあることができる。タップディスペンサ２０は、底面パネル５０を越えて設置位置に突出した設置位置を有することができ、この設置位置において、タップディスペンサ２０は、載置面１６０の上方で最大高さＨの約１１０％超にあることができ、任意選択的に約１１０％〜約２００％にあることができる。これらの構成はバックインボックス容器１０を十分に持ち上げることができ、投入カップ３０がタップディスペンサ２０の下に容易に適合することができるが、液体が投入カップ３０内に分配されるときに液体が投入カップ３０から飛び散る可能性があるほど高くないようになっている。更にバッグインボックス容器１０を上昇させ過ぎることで、転倒の可能性が増大し得る。
【００４６】
バッグインボックス容器１０は、図１２に示すように、前面パネル２００内にタップディスペンサ２０を少なくとも部分的に覆う取り除き可能な引き裂きストリップ２９０を備え得る。引き裂きストリップ２９０が取り除かれる前にはバッグインボックス容器１０の内部にあるタップディスペンサ２０にアクセスするために引き裂きストリップ２９０がバッグインボックス容器１０から取り除かれ得、タップディスペンサ２０が設置されて分配できる状態になる。取り除き可能な引き裂きストリップ２９０は、ミシン目境界線４２０によって境界付けられ得る。ミシン目境界線４２０は、ダイカット、断続的なダイカット、穿孔線、又は消費者によって引き裂かれるか、又は打ち抜かれるか、引き出され得る類似の構造であることができる。
【００４７】
前面パネル２００の内部には、図１３に示すように、タップディスペンサ台座パネル３００が存在し得る。タップディスペンサ台座パネル３００は、前面パネル２００に面し、任意選択的に上面パネル２４０の近位にある上側部品３１０、及びタップディスペンサ２０が係合される可動底部３２０を有することができる。タップディスペンサ２０をタップディスペンサ台座パネル３００の底部３２０と係合させていることにより、タップディスペンサがバッグインボックス容器１０の中にただ詰め込まれ、容器ごとに違った制御されていない方法でバッグの折り畳みで覆われているか、折り畳みの中に埋め込まれている可能性がある同様のバッグインボックス施工と比較して、消費者は内部空間３６０からタップディスペンサ２０を取り出すことを容易にすることができる。次に消費者は、容器内の小さな開口部を通して自身の指を伸ばしてタップディスペンサ２０を見つけて取り出すことを試みる必要がある。任意選択的な構成では、バッグ内の液体の静圧は、可動底部３２０の前面パネル内部に面する表面に向かう動きを駆動してタップディスペンサ２０を据え付けて、取り除き可能な引き裂きストリップ２９０が取り除かれると使用できる状態になるようになっている。
【００４８】
投入カップ３０は、バッグインボックス容器１０の内部空間３６０に収容され得る。内部空間３６０は、前面パネル２００、後面パネル２２０、側面パネル２３０、上面パネル２４０、及び底面パネル５０によって画定され得る。可動底部３２０が、タップディスペンサ２０がバッグインボックス容器１０の内部空間３６０にある第１の位置にあるとき、タップディスペンサ２０の少なくとも一部分は、投入カップ３０内にあり得る。好都合に、投入カップ３０の開放端部５２は、タップディスペンサ２０の上に嵌合されてもよく、又は更にはタップディスペンサ２０にスナップ嵌めされ得る。このような構成は、要素の空間効率的なパッキングを提供することができる。
【００４９】
可動底部３２０は、取り除き可能な引き裂きストリップ２９０が前面パネル２００から分離したときに前面パネルの内向面から離れた第１の位置を有することができる。バッグインボックス容器１０が効果的に用いられる前、例えば、輸送中又は小売店で棚上に陳列中に、タップディスペンサ２０及び投入カップ３０は、内部空間３６０内に収容され、それにより出荷中又は陳列中に保護され得る。引き裂きストリップ２９０を取り除くと、タップディスペンサ２０及び投入カップ３０が露呈され得る。
【００５０】
取り除き可能な引き裂きストリップ２９０が取り除かれると、タップディスペンサ台座パネル３００の可動底部３２０は、可動底部３２０が前面パネルの内向面に面する第２の位置へ移動し得るか、又は移動させられ得る。可動底部３２０が第２の位置にあるとき、タップディスペンサ２０は、取り除き可能な引き裂きストリップ２９０によって画定される開口部３３０を通って前面パネルの外向面２７０を越えて突出することができる。
【００５１】
上側部品３１０は、上面パネル２４０、側面パネル２３０の一方又は両方、前面パネル２００、及びそれらの組み合わせからなる群から選択されるパネルと係合されるか、又はそれから延在するか、又はそれらと一体となり得る。上側部品３１０は、側面パネル２３０から延在することができる。
【００５２】
図１３では、可動底部３２０は、ほぼ第１の位置にある。取り除き可能な引き裂きストリップ２９０の取り除きは、可動底部３２０がその第２の位置に向かってわずかに移動することを可能にしている。図１４では、可動底部３２０は第２の位置にある。タップディスペンサ台座パネル３００は、板紙又は段ボール１８０、若しくは剛性を有する他の材料であってもよく、パネル３００が湾曲又は屈曲することができるようになっており、特に可動底部３２０が第１の位置から第２の位置へと移動することができる。
【００５３】
本明細書に開示されるバッグインボックス容器１０を効果的に用いるためのプロセスは、複数のステップを含むことができる。ステップは、上面パネル２４０が底面パネル５０の上方に位置付けられるように、底面パネル５０を配向することができる。ステップは、取り除き可能な引き裂きストリップ２９０を前面パネル２００から取り除くことができる。ステップは、可動底部３２０を第１の位置から第２の位置に移動させることができる。更に投入カップ３０はタップディスペンサ２０の下に配置され得る。更に液体はバッグインボックス容器１０から投入カップ３０内に分配され得る。
【００５４】
タップディスペンサ２０は、図１５に示すような非限定的な例として、内部空間３６０に収容された可撓性バッグ３５０と係合することができる。可動底部３２０が第１の位置にあるとき、可動底部３２０は内部空間３６０内に押し戻される。可動底部３２０が第１の位置にあり、取り除き可能な引き裂きストリップ２９０が前面パネル２００と係合されるとき、タップディスペンサ２０及び任意選択的な投入カップ３０もまた内部空間３６０内にある。消費者が取り除き可能な引き裂きストリップ２９０を取り除くと、可撓性バッグ３５０に収容された液体３８０の静圧は、可動底部３２０の第１の位置から第２の位置への動きを完全に駆動するか、又は部分的に駆動することができる。
【００５５】
バッグインボックス容器１０は、内部空間３６０内に傾斜面５００を備えることができる。可撓性バッグ３５０は、傾斜面５００上に位置することができる。傾斜面５００は、可撓性バッグ３５０内からタップディスペンサ２０へと液体を誘導することができる。傾斜面は、内部空間３６０に嵌合された成形プラスチック又は段ボール１８０又は板紙の別個の部品であり得る。任意選択的に、傾斜面５００はパネルのうちのいずれかの１つ以上と一体であってもよい。
【００５６】
カラー３７０は、タップディスペンサ２０と係合することができ、可動底部３２０は、図１６に示すように、カラー３７０と可撓性バッグ３５０との間に位置することができる。可撓性バッグ３５０を充填すると、タップディスペンサ２０は、可撓性バッグ３５０又はその付属品に適合することができる。タップディスペンサは、可動底部３２０内の開口部又はスロットを通って送られ得、カラー３７０は、タップディスペンサ２０に嵌合されて可動底部３２０をカラー３７０と可撓性バッグ３５０又はそれらの付属品との間に挟持することができる。
【００５７】
カラー３７０は、可動底部３２０とタップディスペンサフランジ３７５との間に摺動可能に係合され得る。タップディスペンサフランジ３７５は、タップディスペンサ開口部の上流にあることができる。カラー３７０は、例えば図１７に示すように、タップディスペンサフランジ３７５と可動底部３２０との間に差し込み留めすることができる。取り除き可能なカラー３７０は、可撓性バッグ３５０及びタップディスペンサ２０をバッグインボックス容器１０内の残留品から分離する容易な方法で消費者に提供するのに実用的であり得、特にこの残留品が板紙又は段ボール１８０で構築されている場合に、残留品が潰されて消費者のリサイクル容器内に入れられるようになっている。カラー３７０の正面図が図１８に示される。カラー３７０は、カラー３７０の可撓性を高めるための凹部３７２を含むことができる。
【００５８】
バッグインボックス容器１０は、図１９に示されるような非限定的な例として、上面パネル２４０内の、又はそれに面した既定の取り除き可能部分３９０を含むことができる。既定の取り除き可能部分３９０は、ミシン目境界線４２０によって境界付けられ得る。任意選択的に、既定の取り除き可能部分３９０は、例えば、図２０に示すように、上面パネル４２０に面することができる。既定の取り除き可能部分３９０は、非限定的な例として、既定の取り除き可能部分３９０が上面パネル２４０と直接接触しているとき、又は既定の取り除き可能部分３９０と上面パネル２４０との間に１つ以上の中間材料が存在する場合、上面パネル２４０に面すると見なされ、既定の取り除き可能部分３９０は、実質的に平坦に面する関係となる。既定の取り除き可能部分３９０は、上面パネル２４０に緩く面するように、又は剥離可能な接着剤を用いて上面パネル２４０に直接又は間接的に取り付けることができる。
【００５９】
既定の取り除き可能部分３９０が取り除かれ得、投入カップホルダー開口部を形成するか、又は上面パネル２４０に設けられた投入カップホルダー開口部を露呈させる。既定の取り除き可能部分３９０は、バッグインボックス容器１０をカップホルダー開口部と共に出荷するという問題を克服する。バッグインボックス容器がカップホルダー開口部として大きな隙間を有する場合、バッグインボックス容器１０を覆うフィルムラップ又はシュリンクラップ、若しくは他の外側パッケージは、その領域で容易に穿刺され得、場合によっては、可撓性バッグ３５０が破られ得る。更に隙間は、バッグインボックス容器１０の圧搾強度又は落下強度を低減するバッグインボックス容器１０の脆弱領域であり得る。既定の取り除き可能部分３９０は、可撓性バッグ３５０が穿刺されることを保護することができる。
【００６０】
提供されたいずれかの外側パッケージからバッグインボックス容器１０を取り外すと、既定の取り除き可能部分３９０は、上面パネル２４０から取り外され得、又は既定の部分が上面パネル２４０に直接的又は間接的に取り付けられていない場合、既定の取り除き可能部分はバッグインボックス容器１０から落下し得る。このことが投入カップホルダー開口部を露呈させるか、又は開くことができる。既定の取り除き可能部分３９０は、パルプ系材料で作製されているか、又は任意選択的に廃棄される場合、リサイクルバスケットに入れられる。
【００６１】
投入カップホルダー開口部４００は、図２１に示されるような非限定的な例により、１つの成人の手の横並びに広げた関係で並んだ人差し指、中指、薬指、及び小指を受け入れるサイズ及び寸法とされた開口軸４１０を備えることができる。開口軸４１０は前面パネル２００の近位から後面パネル２２０の近位に延在することができる。任意選択的に、開口軸４１０は、側面パネル２３０の間に延在することができる。開口軸４１０は、消費者が自身の指をバックインボックス容器１０を運搬する又は持ち上げるために指を入れる場所を提供することができる。開口軸４１０は、長い開口部分、又は開口部分、又は投入カップホルダー開口部４００の部分である。上面パネル下の指とバッグインボックス容器１０の外側の親指を用いた４本指の把持は、例えば、図２２に示されるように、人間工学的な把持又は運搬の状況となり得る。
【００６２】
投入カップ３０が投入カップホルダー開口部４００内に置かれる配置が図２３に示されている。投入カップホルダー開口部４００は、投入カップ３０を保持するようなサイズ及び寸法とすることができ、開口軸４１０は、投入カップ閉鎖端部４０が投入カップホルダー開口部４００を通って適合することができ、開口端部５２が投入カップホルダー開口部４００又は開口軸４１０を通って適合することができないようなサイズ及び寸法とすることができる。
【００６３】
投入カップホルダー開口部４００は、使用していないときに投入カップ３０を保管するのに好都合な場所を消費者に提供することができる。更に全ての液体が可撓性バッグ３５０から分配されると、消費者はカラー３７０を取り除きタップディスペンサ２０を解放し、開口軸４１０を通じて内部空間３６０に到達し、可撓性バッグ３５０を内部空間３６０から外へ、かつ開口軸４１０及びカップホルダー開口部４００を通して引き出すことができる。バッグインボックス容器１０のボックス部分は、次いで、消費者のリサイクルバスケットに入れられ得る。
【００６４】
本明細書に記載されるバッグインボックス容器１０は、楽しめるユーザエクスペリエンスをもたらすことができる特徴を有している。投入カップ３０は、製品の出荷を簡素化するバッグインボックス容器１０の内部に設けられ得る。取り除き可能な引き裂きストリップ２９０は、タップディスペンサ２０及び投入カップ３０への容易なアクセスをもたらすことができる。タップディスペンサ台座パネル３００は、それ自体を使用準備が整った位置にセットするタップディスペンサ２０を提供することができる。脚部フラップは、バッグインボックス容器１０が載置される表面の上方にバッグインボックス容器１０を持ち上げるように直立され得、これにより、投入カップ３０はタップディスペンサ２０の下に容易に配置され得る。また、投入カップホルダー開口部４００は、出荷中に閉じられ得、バッグインボックス容器１０が全ての側で中実であり、損傷を伴わずに出荷に耐えるのに十分な強度を有しており、次いで一旦取り除かれると、投入カップ３０を保管するための好都合な位置を提供し、好都合な把持又は運搬場所を提供する開口軸４１０を有することができる。
【００６５】
投入カップ３０の非限定的な例が図２４に示される。投入カップ３０は、プラスチック製カップ、又は組み立て若しくは成形され得る他の好適な材料であることができる。投入カップ３０は、概ね円錐台形状であることができる。投入カップ３０は、容積を示すライン又はバーのような１つ以上の用量表示を有することができる。
【００６６】
図２５は、脚が直立した状態で側面パネル２３０上に載置されたバッグインボックス容器１０の底部を示す。タップディスペンサ出口２５は、バッグインボックス容器１０が使用位置にあるときに下向きに配向される。使用位置では、タップディスペンサ出口２５は、第１のヒンジ線９０及び第２のヒンジ線１３０に対して上昇している。
【００６７】
タップディスペンサ２０は、Ｖｉｔｏｐ  Ｍｏｕｌｄｉｎｇ  Ｓｒｌ，Ａｌｅｓｓａｎｄｒｉａ，Ｉｔａｌｙから入手可能なＴＵＲＮ  ＴＡＰであることができる。可撓性バッグ３５０は、多層フィルム、金属化ポリエステル、ＥＶＯＨ、又はポリエチレンバッグ（ＬＬＰＤＥ、ｍＬＤＰＥ、ＨＤＰＥ）、ナイロンＬＬＤＰＥ積層体又は共押出、箔積層体、若しくはバッグに形成されると、タップディスペンサ２０が開かれたときに、液体がそこから自由に排出することができる他の好適な材料であり得る。
【００６８】
バッグインボックス容器１０がそこから直立させ得るブランク５１０を図２６に示す。ブランク５１０は、所望の場所で折り畳まれ、所望の位置及び様々な部分に畳まれ、位置に押し込まれ、接着剤で互いに接続され得る。本明細書に記載される特徴は、図示されるようにブランク上に設定され得る。特にマシン又はロボットがこのような作業に使用される場合には、バッグインボックス容器１０がどのように直立されるかを考慮することによって、他の構成が可能になっている。
【００６９】
バッグインボックス容器１０が本明細書で開示されている。バッグインボックス容器１０は、バッグインボックス容器と係合されたタップディスペンサ２０と、バッグインボックス容器と係合する投入カップ３０であって、閉鎖端部４０から開放端部５２まで延在し、閉鎖端部４０と開放端部５２との間に最大高さＨを有し、最大高さＨが閉鎖端部４０に直交して測定された投入カップ３０と、タップディスペンサ２０が動作可能な位置にあるときに、持ち上げられてタップディスペンサ２０の下方にある底面パネル５０と、を備え得る。投入カップ３０は、バッグインボックス容器１０の内部空間３６０に収容され得る。投入カップ３０は、約１０ｍＬ〜約３００ｍＬの容積、任意選択的に、約３０ｍＬ〜約１５０ｍＬの容積を有するプラスチック製カップであり得る。投入カップの最大高さＨは、約２０ｍｍ〜約２００ｍｍ、任意選択的に、約３０ｍｍ〜約８０ｍｍとなり得る。底面パネル５０は、段ボール１８０で構築され得る。同様に、本明細書に記載されるパネルのいずれも、段ボール１８０で構築され得る。
【００７０】
バッグインボックス容器１０は、底面パネル５０の下方に持ち上げられて配置された第１の脚部フラップ６０を更に備えることができ、第１の脚部フラップ６０は、バッグインボックス容器１０に関連付けられた第１の近位端７０から第１の遠位端８０まで延在し、第１の近位端７０と第１の遠位端８０との間に配置された第１のヒンジ線９０を有している。
【００７１】
バッグインボックス容器１０は、底面パネル５０の下方に持ち上げられて配置された第２の脚部フラップ１００を更に備えることができ、第２の脚フラップ１００は、バッグインボックス容器１０に関連付けられた第２の近位端１１０から第２の遠位端１２０まで延在し、第２の近位端１１０と第２の遠位端１２０との間に配置された第２のヒンジ線１３０を有している。
【００７２】
第１のヒンジ線９０及び第２のヒンジ線１３０は、折り目線１９０又は穿孔線であることができる。
【００７３】
第１の脚部フラップ６０は、前面パネル２００と一体であるか、接合されるか、又はそれから延在することができる。第２の脚部フラップ１００は、後面パネル２２０と一体であるか、又はそこから延在することができる。任意選択的に、第１の脚部フラップ６０及び第２の脚部フラップ１００の近位端は、底面パネル５０と一体であるか、接合されるか、又はそこから延在することができる。
【００７４】
バッグインボックス容器１０は、第１の脚部フラップ６０が第１のヒンジ線９０を中心に折り畳まれるとき、第１のヒンジ線９０と第１の遠位端８０との間に配置され、第１の遠位端８０と動作可能に係合可能である、底面パネル５０内の第１の切れ目部１４０を更に備えることができる。
【００７５】
バッグインボックス容器１０は、第２の脚部フラップ１００が第２のヒンジ線１３０を中心に折り畳まれるとき、第２のヒンジ線１３０と第２の遠位端１２０との間に配置され、第２の遠位端１２０と動作可能に係合可能である、底面パネル５０内の第２の切れ目部１５０を更に備えることができる。
【００７６】
第１の切れ目部１４０及び第２の切れ目部１５０は、底面パネル内のスリットであることができる。スリットは、材料を除去することなく形成された切り込みである。第１の切れ目部１４０及び第２の切れ目部１５０は、底面パネル内のスロットであることができる。スロットは、材料を除去することによって形成された切り込みである。第１の切れ目部１４０及び第２の切れ目部分１５０は、底面パネル内の凹み又は凹部であることができる。凹み又は凹部は、材料を圧縮することによって形成され得る。
【００７７】
第１の遠位端８０が第１の切れ目部１４０と係合し、第２の遠位端１２０が第２の切れ目部１５０と係合されると、ヒンジ線によって画定される載置面１６０は、最大高さＨよりも長い距離だけタップディスペンサ出口２５から離される。このような配置は、投入カップ３０をタップディスペンサ出口２５の下に配置することを容易にすることができ、液体が投入カップ３０内に分配され得るようになっている。
【００７８】
載置面１６０は、最大高さＨの約１１０％超の距離だけタップディスペンサ出口から離され得る。載置面１６０は、最大高さＨの約１１０％〜最大高さＨの約２００％の範囲の距離だけタップディスペンサ出口から離され得る。載置面１６０は、最大高さＨの約１１０％〜最大高さＨの約１７０％の範囲の距離だけタップディスペンサ出口から離され得る。
【００７９】
第１の切れ目部１４０及び第２の切れ目部１５０は、スロット（１７０）、スリット、及びこれらの組み合わせからなる群から選択される構造であることができる。
【００８０】
複数の第１の切れ目部１４０及び複数の第２の切れ目部１５０が存在し得る。
【００８１】
底面パネル５０、第１の脚部フラップ６０、及び第２の脚部フラップ１００は、段ボール１８０とすることができる。
【００８２】
底面パネル５０、第１の脚部フラップ６０、及び第２の脚部フラップ１００は、互いに一体とすることができる。一体とは、互いに取り付けられている別個の部品とは対照的に、２つの要素間の構造が連続的であることを意味する。
【００８３】
バッグインボックス容器１０は液体洗濯洗剤を収容することができる。バッグインボックス容器１０は液体布地柔軟剤を収容することができる。バッグインボックス容器１０はワインを収容することができる。バッグインボックス容器１０は蒸留アルコールを収容することができる。
【００８４】
バッグインボックス容器１０は、バックインボックス容器１０の分配側２１０である前面パネル２００と、前面パネル２００に対向する後面パネル２２０と、前面パネル２００を後面パネル２２０に接続する対向する側面パネル２３０と、底面パネル５０に対向する上面パネル２４０と、を備えるものとして説明され得る。
【００８５】
本明細書に記載されるようにバッグインボックス容器１０を効果的に用いるための工程は、第１の脚部フラップ６０を第１のヒンジ線９０を中心に折り畳み、第１の遠位端８０を第１の切れ目部１４０と係合させるステップと、第２の脚部フラップ１００を第２のヒンジ線１３０を中心に折り畳み、第２の遠位端１２０を第２の切れ目部１５０と係合させるステップと、タップディスペンサ２０を持ち上げるためにバッグをボックス容器１０を第１のヒンジ線９０及び第２のヒンジ線１３０の上に立たせるように配置するステップと、を含み得る。バッグインボックス容器１０は、バッグインボックス容器１０と係合されたタップディスペンサ２０と、バッグインボックス容器１０の分配側２１０であり、前面パネル外向面２７０及び対向する前面パネル内向面２８０を有する前面パネル２００と、前面パネル２００に対向する後面パネル２２０と、前面パネル２００を後面パネル２２０に接続する対向する側面パネル２３０と、タップディスペンサ２０の下の底面パネル５０と、底面パネル５０に対向する上面パネル２４０と、タップディスペンサ２０を少なくとも部分的に覆うことができる前面パネル２００内の取り除き可能な引き裂きストリップ２９０と、任意選択的に、上面パネル２４０の近位で、前面パネル２００に面する上側部品３１０及びタップディスペンサ２０が係合されている可動底部３２０を有する、タップディスペンサ台座パネル３００であって、可動底部３２０が、前面パネル内向面２８０から離れた第１の位置、及び取り除き可能引き裂きストリップ２９０が前面パネル２００から分離されると、前面パネル内向面２８０に面する第２の位置を有する、タップディスペンサ台座パネル３００と、を備えることができる。取り除き可能な引き裂きストリップ２９０は、バッグインボックス容器１０の内部に収容されたタップディスペンサ２０及び任意選択的な投入カップ３０への好都合なアクセスをもたらすことができる。消費者は、取り除き可能な引き裂きストリップ２９０を取り除いてこれらの部品にアクセスする。引き裂きストリップ２９０は、ミシン目境界線４２０によって境界付けられ得る。
【００８６】
可動底部３２０が第２の位置にあるとき、タップディスペンサ２０は、取り除き可能な引き裂きストリップ２９０によって画定される開口部３３０を通って前面パネルの外向面２７０を越えて突出する。この位置において、タップディスペンサ２０は液体を分配するために使用され得る。
【００８７】
投入カップ３０は、任意選択的に、前面パネル２００、後面パネル２２０、側面パネル２３０、上面パネル２４０、及び底面パネル５０によって画定されるバッグインボックス容器１０の内部空間３６０内に収容され得る。バッグインボックス容器１０に投入カップ３０を提供することは、消費者が他の供給元からこれを取得する必要がないことから、消費者にとって好都合である。更に投入カップ３０は輸送中に保護されている。
【００８８】
タップディスペンサ２０は、前面パネル２００、後面パネル２２０、側面パネル２３０、上面パネル２４０、及び底面パネル５０によって画定されたバッグインボックス容器１０の内部空間３６０に収容された可撓性バッグ３５０と係合され得、任意選択的に可撓性バッグ３５０は液体洗濯洗剤又は液体布地柔軟剤を収容している。
【００８９】
タップディスペンサ２０を可動底部３２０としっかりと係合するために、カラー３７０は、タップディスペンサ２０と係合され得、可動底部３２０は、カラー３７０と、バッグインボックス容器の内部空間３６０に収容された可撓性バッグ３５０との間にある。
【００９０】
上側部品３１０は、上面パネル２４０、側面パネル２３０の一方又は両方、前面パネル２００、及びそれらの組み合わせからなる群から選択されるパネルと係合され得る。上側部品３１０は、上面パネル２４０、側面パネル２３０の一方又は両方、前面パネル２００、及びそれらの組み合わせからなる群から選択されるパネルと一体であってもよい。
【００９１】
バッグインボックス容器１０には、取り除き可能な引き裂きストリップ２９０及び関連する部品が、上述の脚部フラップと共に設けられ得る。
【００９２】
バッグインボックス容器１０は、上面パネル２４０が底面パネル５０の上方に配置されるように底面パネル５０を配向するステップと、取り除き可能な引き裂きストリップ２９０を前面パネル２００から取り除くステップと、可動底部３２０を第１の位置から第２の位置に移動させるステップと、を含む、工程によって効果的に用いられ得る。
【００９３】
タップディスペンサ２０は、前面パネル２００、後面パネル２２０、側面パネル２３０、上面パネル２４０、及び底面パネル５０によって画定されたバッグインボックス容器の内部空間３６０内に収容された可撓性バッグ３５０と係合することができ、任意選択的に、可撓性バッグ３５０は液体洗濯洗剤又は液体布地柔軟剤を収容し、可撓性バッグ３５０が液体３８０を収容し、可動底部３２０を第１の位置から第２の位置へ移動させるステップは、液体３８０の静圧によって少なくとも部分的に駆動されているか、又は完全に駆動されている。消費者が取り除き可能な引き裂きストリップ２９０を取り除くと、タップディスペンサ２０、及び、設けられている場合は任意選択的に、投入カップ３０は、取り除き可能な引き裂きストリップ２９０を取り除くことによって形成された開口部３３０からの静圧によって押される。
【００９４】
バッグインボックス容器１０は、バッグインボックス容器１０と係合されたタップディスペンサ２０と、バッグインボックス容器１０の分配側２１０である前面パネル２００と、前面パネル２００に対向する後面パネル２２０と、前面パネル２００を後面パネル２２０に接続する対向する側面パネル２３０と、タップディスペンサ２０の下の底面パネル５０と、底面パネル５０に対向する上面パネル２４０とを備え、前面パネル２００、後面パネル２２０、側面パネル２３０、上面パネル２４０、及び底面パネル５０は、内部空間３６０を画定し、バックインボックス容器は、内部空間３６０内に収容され得る投入カップ３０であって、閉鎖端部４０及び開口端部５２、並びに閉鎖端部４０から開口端部５２へ延びる周囲壁３４０を備える、投入カップ３０と、上面パネル２４０内にあることができる既定の取り除き可能部分３９０であって、既定の取り除き可能部分３９０は、既定の取り除き可能部分３９０が取り除かれて投入カップホルダー開口部４００が開かれると、閉鎖端部４０が投入カップホルダー開口部４００を貫通して、内部空間３６０へ入るようなサイズと寸法とされており、投入カップ３０が投入カップホルダー開口部４００内に置かれるとき、開口端部５２がバックインボックス容器１０の外側にある既定の取り除き可能部分３９０と、を備えることができる。
【００９５】
投入カップホルダー開口部４００は、１つの成人の手の横並びに広げた関係で並んだ人差し指、中指、薬指、及び小指を受け入れるサイズ及び寸法とされた開口軸４１０を備えることができる。このことで消費者がバッグインボックス容器１０を運搬することを好都合にすることができる。開口軸４１０は、前面パネル２００の近位から後面パネル２２０の近位に延在することができる。このことは、前面パネル２００が比較的狭く、側面パネル２３０の奥行きが前面パネル２００の幅よりも深い場合に好都合であり得る。
【００９６】
投入カップホルダー開口部４００は、既定の取り除き可能部分３９０を取り除くことによって形成され得る。任意選択的に、既定の取り除き可能部分３９０は、投入カップホルダー開口部４００を覆うことができる。既定の取り除き可能部分３９０は、ミシン目境界線４２０によって境界付けられ得る。
【００９７】
バッグインボックス容器１０が動作可能な位置にあるとき、タップディスペンサ３０は底面パネル５０の上方にあることができ、上面パネル２４０は底面パネル５０の上方にあることができる。
【００９８】
バッグインボックス容器１０は、投入カップ３０を内部空間３６０から取り外すステップと、既定の取り除き可能部分３９０を上面パネル２４０から取り除くステップと、投入カップ３０が投入カップホルダー開口部４００によって保持されるように、投入カップ３０の閉鎖端部４０を投入カップホルダー開口部内に配置するステップと、を含む工程によって効果的に用いられ得る。
【００９９】
組み合わせ
Ａ．バッグインボックス容器（１０）であって、
バッグインボックス容器と係合したタップディスペンサ（２０）と、
バッグインボックス容器の分配側（２１０）である前面パネル（２００）と、前面パネルに対向する後面パネル（２２０）と、前面パネルを後面パネルに接続する対向する側面パネル（２３０）と、タップディスペンサの下の底面パネル（５０）と、底面パネルに対向する上面パネル（２４０）とを備え、前面パネル、後面パネル、側面パネル、上面パネル、及び底面パネルが、内部空間（３６０）を画定し、
バックインボックス容器は、内部空間内に収容された投入カップ（３０）であって、閉鎖端部（４０）及び開口端部（５２）、並びに閉鎖端部から開口端部（５２）へ延びる周囲壁（３４０）を備える、投入カップ（３０）と、
上面パネル内にあるか、又はそれに面する既定の取り除き可能部分（３９０）と、を備え、既定の取り除き可能部分が取り除かれると、投入カップホルダー開口部（４００）が開かれ、投入カップホルダー開口部は、閉鎖端部が投入カップホルダー開口部を貫通して内部空間へ入るようなサイズと寸法とされており、投入カップが投入カップホルダー開口部内に置かれるとき、開口端部がバックインボックス容器の外側にある、バッグインボックス容器（１０）。
【０１００】
Ｂ．
既定の取り除き可能部分（３９０）が上面パネル内にあり、既定の取り除き可能部分が、既定の取り除き可能部分が取り除かれて投入カップホルダー開口部が開かれると、閉鎖端部が投入カップホルダー開口部を貫通して、内部空間へ入るようなサイズと寸法とされており、投入カップが投入カップホルダー開口部内に置かれるとき、開口端部がバックインボックス容器の外側にある、パラグラフＡに記載のバッグインボックス容器。
【０１０１】
Ｃ．投入カップホルダー開口部が、１つの成人の手の横並びに広げた関係で並んだ人差し指、中指、薬指、及び小指を受け入れるサイズ及び寸法とされた開口軸（４１０）を備える、パラグラフＢに記載のバッグインボックス容器。
【０１０２】
Ｄ．開口軸が、前面パネルの近位から後面パネルの近位へ延在する、パラグラフＣに記載のバッグインボックス容器。
【０１０３】
Ｅ．開口軸が側面パネルの間に延在する、パラグラフＣによるバッグインボックス容器。
【０１０４】
Ｆ．投入カップホルダー開口部が、既定の取り除き可能部分の取り除きにより形成される、パラグラフＢ〜Ｅのいずれか１つに記載のバッグインボックス容器。
【０１０５】
Ｇ．既定の取り除き可能部分がカップホルダー開口部を覆う、パラグラフＢ〜Ｆのいずれか１つに記載のバッグインボックス容器。
【０１０６】
Ｈ．既定の取り除き可能部分が、ミシン目境界線（４２０）によって境界が定められている、パラグラフＢ〜Ｇのいずれか１つに記載のバッグインボックス容器。
【０１０７】
Ｉ．バッグインボックス容器が動作可能位置にあるとき、タップディスペンサが底面パネルの上方にあり、上面パネルが底面パネルの上方にある、パラグラフＢ〜Ｈのいずれか１つに記載のバッグインボックス容器。
【０１０８】
Ｊ．タップディスペンサが、内部空間に収容された可撓性バッグ（３５０）と係合している、パラグラフＢ〜Ｉのいずれか１つに記載のバッグインボックス容器。
【０１０９】
Ｋ．バッグインボックス容器を効果的に用いる工程であって、
内部空間から投入カップを取り除くステップと、
上面パネルから既定の取り除き可能部分を取り除くステップと、
して、投入カップが投入カップホルダー開口部によって保持されるように、投入カップの閉鎖端部を投入カップホルダー開口部に配置するステップと、を含む、パラグラフＡ〜Ｊのいずれか１つに記載の工程。
【０１１０】
Ｌ．投入カップホルダー開口部が１つの成人の手の横並びに広げた関係で並んだ人差し指、中指、薬指、及び小指を受け入れるサイズ及び寸法とされた開口軸（４１０）を備える、パラグラフＡに記載のバッグインボックス容器。
【０１１１】
Ｍ．開口軸が、前面パネルの近位から後面パネルの近位へ延在する、パラグラフＬに記載のバッグインボックス容器。
【０１１２】
Ｎ．開口軸が側面パネルの間に延在する、パラグラフＬに記載のバッグインボックス容器。
【０１１３】
Ｏ．既定の取り除き可能部分が、カップホルダー開口部を覆う、パラグラフＬ〜Ｎのいずれか１つに記載のバッグインボックス容器。
【０１１４】
Ｐ．バッグインボックス容器が動作可能位置にあるとき、タップディスペンサが底面パネルの上方にあり、上面パネルが底面パネルの上方にある、パラグラフＬ〜Ｏのいずれか１つに記載のバッグインボックス容器。
【０１１５】
Ｑ．タップディスペンサが、内部空間に収容された可撓性バッグ（３５０）と係合している、請求項Ｌ〜Ｐのいずれか１つに記載のバッグインボックス容器。
【０１１６】
本明細書に開示される寸法及び値は、列挙された正確な数値に厳密に限定されるものとして理解されるべきではない。その代わりに、特に指示がない限り、このような寸法はそれぞれ、列挙された値とその値を囲む機能的に同等な範囲との両方を意味することが意図されている。例えば、「４０ｍｍ」と開示された寸法は、「約４０ｍｍ」を意味することが意図される。
【図１】
2022500323.tif 000003
【図２】
2022500323.tif 000004
【図３】
2022500323.tif 000005
【図４】
2022500323.tif 000006
【図５】
2022500323.tif 000007
【図６】
2022500323.tif 000008
【図７】
2022500323.tif 000009
【図８】
2022500323.tif 000010
【図９】
2022500323.tif 000011
【図１０】
2022500323.tif 000012
【図１１】
2022500323.tif 000013
【図１２】
2022500323.tif 000014
【図１３】
2022500323.tif 000015
【図１４】
2022500323.tif 000016
【図１５】
2022500323.tif 000017
【図１６】
2022500323.tif 000018
【図１７】
2022500323.tif 000019
【図１８】
2022500323.tif 000020
【図１９】
2022500323.tif 000021
【図２０】
2022500323.tif 000022
【図２１】
2022500323.tif 000023
【図２２】
2022500323.tif 000024
【図２３】
2022500323.tif 000025
【図２４】
2022500323.tif 000026
【図２５】
2022500323.tif 000027
【図２６】
2022500323.tif 000028
【国際調査報告】
2022500323.tif 000029
2022500323.tif 000030
2022500323.tif 000031